(57)【要約】【課題】スイング時の空気抵抗を低減させたゴルフクラブヘッドを提供すること。【解決手段】本ゴルフクラブヘッドは、フェース部と、前記フェース部の上端側から後方に伸びるクラウン部と、前記フェース部の下端側から後方に伸びるソール部と、前記クラウン部の端部に設けられたホゼル部と、を備え、前記フェース部の幾何中心を通り、水平面と垂直かつフェース−バック方向に伸びる平面を中心平面としたときに、前記クラウン部は、前記中心平面よりトウ側の領域において、フェース側からバック側に至るトウ側凹み領域と、前記中心平面よりヒール側の領域において、フェース側からバック側に至るヒール側凹み領域と、前記トウ側凹み領域と前記ヒール側凹み領域との間において、フェース側からバック側に至る中央隆起領域と、を有する。【選択図】図１
2019217160.tif 000002
【特許請求の範囲】
【請求項１】
フェース部と、前記フェース部の上端側から後方に伸びるクラウン部と、前記フェース部の下端側から後方に伸びるソール部と、前記クラウン部の端部に設けられたホゼル部と、を備え、
前記フェース部の幾何中心を通り、水平面と垂直かつフェース−バック方向に伸びる平面を中心平面としたときに、
前記クラウン部は、
前記中心平面よりトウ側の領域において、フェース側からバック側に至るトウ側凹み領域と、
前記中心平面よりヒール側の領域において、フェース側からバック側に至るヒール側凹み領域と、
前記トウ側凹み領域と前記ヒール側凹み領域との間において、フェース側からバック側に至る中央隆起領域と、を有するゴルフクラブヘッド。
【請求項２】
前記トウ側凹み領域及び前記ヒール側凹み領域は、前記クラウン部から前記ソール部にかけて貫通するスリット部を含み、
前記スリット部は、バック側からフェース側に向かって伸び、前記フェース部には達していない請求項１に記載のゴルフクラブヘッド。
【請求項３】
前記中央隆起領域のトウ−ヒール方向の幅は、フェース側で最大、バック側で最小となる請求項１または２に記載のゴルフクラブヘッド。
【請求項４】
前記フェース部と前記クラウン部との間の稜線が、前記トウ側凹み領域及び前記ヒール側凹み領域により部分的に凹んでいる請求項１乃至３の何れか一項に記載のゴルフクラブヘッド。
【請求項５】
前記クラウン部は、前記トウ側凹み領域のトウ側にトウ側隆起領域、及び前記ヒール側凹み領域のヒール側にヒール側隆起領域を有し、
前記中央隆起領域のトウ−ヒール方向の最大幅は、前記トウ側隆起領域のトウ−ヒール方向の最大幅よりも大きく、
前記トウ側隆起領域のトウ−ヒール方向の最大幅は、前記ヒール側隆起領域のトウ−ヒール方向の最大幅以上である請求項１乃至４の何れか一項に記載のゴルフクラブヘッド。
【発明の詳細な説明】
【技術分野】
【０００１】
本発明は、ゴルフクラブヘッドに関する。
【背景技術】
【０００２】
従来、ゴルフクラブヘッドのクラウン部やソール部等に凹み領域を設けることが提案されている。これらのゴルフクラブヘッドは、スイング時の空気抵抗を低減することやスイングし易く操作性の優れたゴルフクラブを提供すること、ゴルフクラブヘッドの左右方向のブレを規制すること等を目的としている。近年、スイング時の空気抵抗を更に低減することが求められている。
【先行技術文献】
【特許文献】
【０００３】
【特許文献１】特開２００９−１６００５０号公報
【特許文献２】特開平７−２０４２９９号公報
【特許文献３】特開平５−３３７２２０号公報
【特許文献４】米国特許第４１５７８３０号明細書
【特許文献５】米国特許第３９９７１７０号明細書
【特許文献６】米国特許第９９０８０１２号明細書
【特許文献７】米国特許第７７５３８０９号明細書
【特許文献８】米国特許公開２０１０／０００９７７１
【発明の概要】
【発明が解決しようとする課題】
【０００４】
本発明は、スイング時の空気抵抗を低減させたゴルフクラブヘッドを提供することを目的とする。
【課題を解決するための手段】
【０００５】
本ゴルフクラブヘッドは、フェース部と、前記フェース部の上端側から後方に伸びるクラウン部と、前記フェース部の下端側から後方に伸びるソール部と、前記クラウン部の端部に設けられたホゼル部と、を備え、前記フェース部の幾何中心を通り、水平面と垂直かつフェース−バック方向に伸びる平面を中心平面としたときに、前記クラウン部は、前記中心平面よりトウ側の領域において、フェース側からバック側に至るトウ側凹み領域と、前記中心平面よりヒール側の領域において、フェース側からバック側に至るヒール側凹み領域と、前記トウ側凹み領域と前記ヒール側凹み領域との間において、フェース側からバック側に至る中央隆起領域と、を有することを要件とする。
【発明の効果】
【０００６】
開示の技術によれば、スイング時の空気抵抗を低減させたゴルフクラブヘッドを提供できる。
【図面の簡単な説明】
【０００７】
【図１】第１の実施の形態に係るゴルフクラブヘッド１を例示する正面図である。
【図２】第１の実施の形態に係るゴルフクラブヘッド１を例示する平面図である。
【図３】第１の実施の形態に係るゴルフクラブヘッド１を例示するフェース側から視た斜視図である。
【図４】第１の実施の形態に係るゴルフクラブヘッド１を例示するバック側から視た斜視図である。
【図５】第１の実施の形態の変形例に係るゴルフクラブヘッド２を例示する平面図である。
【発明を実施するための形態】
【０００８】
以下、図面を参照して、実施の形態の説明を行う。なお、各図面において、同一構成部分には同一符号を付し、重複した説明を省略する場合がある。
【０００９】
〈第１の実施の形態〉
図１は、第１の実施の形態に係るゴルフクラブヘッド１を例示する正面図である。図２は、第１の実施の形態に係るゴルフクラブヘッド１を例示する平面図である。図３は、第１の実施の形態に係るゴルフクラブヘッド１を例示するフェース側から視た斜視図である。図４は、第１の実施の形態に係るゴルフクラブヘッド１を例示するバック側から視た斜視図である。
【００１０】
図１〜図４では、フェース面１１ｆ側から視た図を正面図としており、ゴルフクラブヘッド１を水平面Ｈ（地面に相当）に基準のライ角θ及び基準のロフト角（図示せず）通りに接地した場合を図示している。なお、Ｊはホゼル部１５の穴の中心軸を示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１に示すゴルフクラブヘッド１は、ウッド型のゴルフクラブヘッドであって、例えばドライバであるが、ユーティリティやフェアウェイウッドであってもよい。ゴルフクラブヘッド１は、例えば、チタン、チタン合金、ステンレス、アルミニウム、アルミニウム合金、鉄系金属、マグネシウム、マグネシウム合金、繊維強化樹脂等を用いて形成することができる。また、ゴルフクラブヘッド１は、複数の部品を接合して組み立ててもよい。以下、ゴルフクラブヘッド１について詳説する。
【００１２】
ゴルフクラブヘッド１は、フェース部１１と、クラウン部１２と、ソール部１３と、ホゼル部１５とを有する中空構造体である。なお、中空構造体の内側の面をヘッド内面、外側の面をヘッド外面と称する場合がある。
【００１３】
フェース部１１は、打撃面となるフェース面１１ｆを備えた部分である。なお、フェース部１１は所定の厚みを有しており、フェース面１１ｆはフェース部１１の外面をなしている。クラウン部１２は、フェース部１１の上端側から後方に伸び、ゴルフクラブヘッド１の上部を形成する部分である。ソール部１３は、フェース部１１の下端側から後方に伸び、ゴルフクラブヘッド１の底部を形成する部分である。ホゼル部１５は、クラウン部１２の端部に設けられ、シャフトと連結される部分である。
【００１４】
図１及び図２において、一点鎖線で示すＣＰは、フェース部１１の幾何中心を通り、水平面Ｈと垂直かつフェース−バック方向に伸びる平面である（以下、中心平面ＣＰとする）。
【００１５】
クラウン部１２は、トウ側凹み領域１２１、ヒール側凹み領域１２２、中央隆起領域１２３、トウ側隆起領域１２４、及びヒール側隆起領域１２５を有している。以下、それぞれについて詳しく説明する。なお、本明細書において、各部の幅は、トップ側からソール側に見たときの幅（図２の状態における幅）を指すものとする。
【００１６】
クラウン部１２は、中心平面ＣＰよりトウ側の領域において、フェース側からバック側に至るトウ側凹み領域１２１を有している。トウ側凹み領域１２１は、クラウン部１２の最もフェース側の位置から最もバック側の位置にかけて、ヘッド外面からヘッド内面に向かって連続的に窪む領域であり、スイング時に空気が流れる流路として機能する。
【００１７】
トウ側凹み領域１２１の底面は、平面であってもよいし、曲面であってもよいし、両者が混在した面であってもよい。また、トウ側凹み領域１２１の底面とトウ側隆起領域１２４との間に位置する内側面及びトウ側凹み領域１２１の底面と中央隆起領域１２３との間に位置する内側面は、トウ側凹み領域１２１の底面に対して垂直であってもよいし、傾斜していてもよい。また、トウ側凹み領域１２１の底面とトウ側隆起領域１２４との間に位置する内側面及びトウ側凹み領域１２１の底面と中央隆起領域１２３との間に位置する内側面は、平面であってもよいし、曲面であってもよいし、両者が混在した面であってもよい。
【００１８】
スイング時の空気抵抗を低減する観点からは、トウ側凹み領域１２１の底面、トウ側凹み領域１２１の底面とトウ側隆起領域１２４との間に位置する内側面、及びトウ側凹み領域１２１の底面と中央隆起領域１２３との間に位置する内側面は、鋭角な部分を有しない滑らかな形状であることが好ましい。
【００１９】
トウ側凹み領域１２１のトウ−ヒール方向の幅は略一定とすることができるが、これには限定されない。また、トウ側凹み領域１２１の最大深さは略一定とすることができるが、これには限定されない。トウ側凹み領域１２１のトウ−ヒール方向の幅は、例えば、１０ｍｍ以上３０ｍｍ以下である。トウ側凹み領域１２１の最大深さは、例えば、１ｍｍ以上７ｍｍ以下である。
【００２０】
クラウン部１２は、中心平面ＣＰよりヒール側の領域において、フェース側からバック側に至るヒール側凹み領域１２２を有している。ヒール側凹み領域１２２は、クラウン部１２の最もフェース側の位置から最もバック側の位置にかけて、ヘッド外面からヘッド内面に向かって連続的に窪む領域であり、スイング時に空気が流れる流路として機能する。
【００２１】
ヒール側凹み領域１２２の底面は、平面であってもよいし、曲面であってもよいし、両者が混在した面であってもよい。また、ヒール側凹み領域１２２の底面とヒール側隆起領域１２５との間に位置する内側面及びヒール側凹み領域１２２の底面と中央隆起領域１２３との間に位置する内側面は、ヒール側凹み領域１２２の底面に対して垂直であってもよいし、傾斜していてもよい。また、ヒール側凹み領域１２２の底面とヒール側隆起領域１２５との間に位置する内側面及びヒール側凹み領域１２２の底面と中央隆起領域１２３との間に位置する内側面は、平面であってもよいし、曲面であってもよいし、両者が混在した面であってもよい。
【００２２】
スイング時の空気抵抗を低減する観点からは、ヒール側凹み領域１２２の底面、ヒール側凹み領域１２２の底面とヒール側隆起領域１２５との間に位置する内側面、及びヒール側凹み領域１２２の底面と中央隆起領域１２３との間に位置する内側面は、鋭角な部分を有しない滑らかな形状であることが好ましい。
【００２３】
ヒール側凹み領域１２２のトウ−ヒール方向の幅は略一定とすることができるが、これには限定されない。また、ヒール側凹み領域１２２の最大深さは略一定とすることができるが、これには限定されない。ヒール側凹み領域１２２のトウ−ヒール方向の幅は、例えば、１０ｍｍ以上３０ｍｍ以下である。トウ側凹み領域１２１の最大深さは、例えば、１ｍｍ以上７ｍｍ以下である。
【００２４】
なお、ヒール側凹み領域１２２のトウ−ヒール方向の幅は、トウ側凹み領域１２１のトウ−ヒール方向の幅と略同一とすることができるが、これには限定されない。また、ヒール側凹み領域１２２の最大深さは、トウ側凹み領域１２１の最大深さと略同一とすることができるが、これには限定されない。
【００２５】
クラウン部１２は、トウ側凹み領域１２１とヒール側凹み領域１２２との間において、フェース側からバック側に至る中央隆起領域１２３を有している。そして、フェース部１１とクラウン部１２との間の稜線（フェース部１１とクラウン部１２との境界をなす線）が、トウ側凹み領域１２１及びヒール側凹み領域１２２により部分的に凹んでいる。
【００２６】
中央隆起領域１２３のトウ−ヒール方向の幅は、フェース側で最大、バック側で最小となる。中央隆起領域１２３のトウ−ヒール方向の最大幅Ｗ１は、例えば、３０ｍｍ以上６０ｍｍ以下である。中央隆起領域１２３のトウ−ヒール方向の最小幅Ｗ２は、例えば、１０ｍｍ以上３０ｍｍ以下である。
【００２７】
中央隆起領域１２３をトップ側からソール側に見たときの形状は、例えば、略台形状とすることができるが、これには限定されない。
【００２８】
クラウン部１２は、トウ側凹み領域１２１のトウ側にトウ側隆起領域１２４を有している。また、クラウン部１２は、ヒール側凹み領域１２２のヒール側にヒール側隆起領域１２５を有している。
【００２９】
中央隆起領域１２３のトウ−ヒール方向の最大幅Ｗ１は、トウ側隆起領域１２４のトウ−ヒール方向の最大幅Ｗ３よりも大きい。また、トウ側隆起領域１２４のトウ−ヒール方向の最大幅Ｗ３は、ヒール側隆起領域１２５のトウ−ヒール方向の最大幅Ｗ４以上である。すなわち、『中央隆起領域１２３のトウ−ヒール方向の最大幅Ｗ１＞トウ側隆起領域１２４のトウ−ヒール方向の最大幅Ｗ３≧ヒール側隆起領域１２５のトウ−ヒール方向の最大幅Ｗ４』を満たしている。
【００３０】
このように、ゴルフクラブヘッド１では、クラウン部１２において、中央隆起領域１２３の両側に、スイング時に空気が流れる流路として機能するトウ側凹み領域１２１及びヒール側凹み領域１２２が、フェース側からバック側に至るように設けられている。
【００３１】
これにより、スイング時にフェース側からバック側に空気が流れやすくなるため、スイング時の空気抵抗を低減することが可能となり、ヘッドスピードを向上することができる。
【００３２】
〈第１の実施の形態の変形例〉
第１の実施の形態の変形例では、スリット部を有するゴルフクラブヘッドの例を示す。なお、第１の実施の形態の変形例において、既に説明した実施の形態と同一構成部についての説明は省略する場合がある。
【００３３】
図５は、第１の実施の形態の変形例に係るゴルフクラブヘッド２を例示する平面図である。図５に示すゴルフクラブヘッド２は、スリット部１２１Ｓ及び１２２Ｓが追加された点が、ゴルフクラブヘッド１（図２等参照）と相違する。
【００３４】
トウ側凹み領域１２１には、クラウン部１２からソール部１３にかけて貫通するスリット部１２１Ｓが形成されている。スリット部１２１Ｓは、バック側からフェース側に向かって伸びているが、フェース部１１には達していない。すなわち、スリット部１２１Ｓとフェース部１１との間には、トウ側凹み領域１２１を構成する窪みの一部が残存している。
【００３５】
スリット部１２１Ｓは、例えば、中央隆起領域１２３側よりもトウ側隆起領域１２４側の方が、よりフェース部１１に近くなるように形成することができる。スリット部１２１Ｓは、トウ側凹み領域１２１の幅方向（トウ−ヒール方向）の全体に形成してもよいし、幅方向の中央側のみに形成してもよいし、幅方向のトウ側にのみ形成してもよいし、幅方向のヒール側のみに形成してもよい。
【００３６】
スリット部１２１Ｓのトウ−ヒール方向の幅は略一定とすることができるが、これには限定されない。また、スリット部１２１Ｓのフェース−バックの最大長さは、例えばトウ側凹み領域１２１のフェース−バック方向の最大長さの半分より大きくすることができるが、これには限定されない。スリット部１２１Ｓのトウ−ヒール方向の幅は、例えば、１０ｍｍ以上３０ｍｍ以下である。スリット部１２１Ｓのフェース−バック方向の最大長さは、例えば、３０ｍｍ以上６０ｍｍ以下である。
【００３７】
ヒール側凹み領域１２２には、クラウン部１２からソール部１３にかけて貫通するスリット部１２２Ｓが形成されている。スリット部１２２Ｓは、バック側からフェース側に向かって伸びているが、フェース部１１には達していない。すなわち、スリット部１２２Ｓとフェース部１１との間には、ヒール側凹み領域１２２を構成する窪みの一部が残存している。
【００３８】
スリット部１２２Ｓは、例えば、中央隆起領域１２３側よりもヒール側隆起領域１２５側の方が、よりフェース部１１に近くなるように形成することができる。スリット部１２２Ｓは、ヒール側凹み領域１２２の幅方向（トウ−ヒール方向）の全体に形成してもよいし、幅方向の中央側のみに形成してもよいし、幅方向のトウ側にのみ形成してもよいし、幅方向のヒール側のみに形成してもよい。
【００３９】
スリット部１２２Ｓのトウ−ヒール方向の幅は略一定とすることができるが、これには限定されない。また、スリット部１２２Ｓのフェース−バックの最大長さは、例えばヒール側凹み領域１２２のフェース−バック方向の長さの半分より大きくすることができるが、これには限定されない。スリット部１２２Ｓのトウ−ヒール方向の幅は、例えば、１０ｍｍ以上３０ｍｍ以下である。スリット部１２２Ｓのフェース−バック方向の最大長さは、例えば、３０ｍｍ以上６０ｍｍ以下である。
【００４０】
このように、ゴルフクラブヘッド２では、クラウン部１２において、中央隆起領域１２３の両側に、スイング時に空気が流れる流路として機能するトウ側凹み領域１２１及びヒール側凹み領域１２２が、フェース側からバック側に至るように設けられている。そして、更に、トウ側凹み領域１２１にはスリット部１２１Ｓが形成され、ヒール側凹み領域１２２にはスリット部１２２Ｓが形成されている。
【００４１】
これにより、スイング時にフェース側からバック側に空気が更に流れやすくなるため、スイング時の空気抵抗を更に低減することが可能となり、ヘッドスピードを更に向上することができる。
【００４２】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００４３】
１、２  ゴルフクラブヘッド
１１  フェース部
１２  クラウン部
１３  ソール部
１５  ホゼル部
１２１  トウ側凹み領域
１２１Ｓ、１２２Ｓ  スリット部
１２２  ヒール側凹み領域
１２３  中央隆起領域
１２４  トウ側隆起領域
１２５  ヒール側隆起領域
【図１】
2019217160.tif 000003
【図２】
2019217160.tif 000004
【図３】
2019217160.tif 000005
【図４】
2019217160.tif 000006
【図５】
2019217160.tif 000007